(57)【要約】【課題】携帯電話機を立てた状態に確実に支持し、しかも携帯可能なコンパクトな支持装置を提供する。【解決手段】携帯電話機１の支持装置２３は、携帯電話機１に備えた電話機側係合部としてのコネクタ１３に対して着脱可能の支持部側係合部としてのコネクタ係合部２７を備えており、上記の携帯電話機１を立てた状態に支持する支持部２５を備えており、コンパクトである。携帯電話機１はコネクタ１３を介してコネクタ係合部２７により固定されることにより、支持部２５によって立てた状態に支持される。この支持部２５が例えば三脚などの支持脚へ取付部３１を介して取り付けられることによって自分や自分を含む数名等を自動シャッタで撮影できる。また、撮影時の手ぶれによるピンぼけを確実に防止でき、優れた映像を撮影できる。【選択図】図１
2005073058.tif 000002
【特許請求の範囲】
【請求項１】
携帯電話機に備えた電話機側係合部に対して着脱可能の支持部側係合部を備え、且つ上記の携帯電話機を支持する支持部を備えたことを特徴とする携帯電話機の支持装置。
【請求項２】
前記電話機側係合部が携帯電話機に備えられているコネクタで、支持部側係合部がコネクタ係合部であると共に携帯電話機を立てた状態で支持することを特徴とする請求項１記載の携帯電話機の支持装置。
【請求項３】
携帯電話機のケーシング外形の一部を固定的に係合可能の係合部を備え、且つ上記の携帯電話機を縦向きに又は横向きに立てた状態に支持する支持部を備えたことを特徴とする携帯電話機の支持装置。
【請求項４】
前記支持部に、支持脚への取付部を備えていることを特徴とする請求項１乃至３の何れかに記載の携帯電話機の支持装置。
【発明の詳細な説明】
【技術分野】
【０００１】
この発明は、携帯電話機の支持装置に関し、特にＣＣＤカメラ等の撮像手段を内蔵した携帯電話機で撮影する際に、携帯電話機を安定した姿勢で支持するための携帯電話機の支持装置に関する。
【背景技術】
【０００２】
近年の携帯電話機には、音声通信機能、電子メールの送受信やインターネット接続などのデータ通信の機能、さらには静止画像乃至は動画を撮像するＣＣＤカメラなどの撮像手段を内蔵したものがあり、前記カメラで自分の顔や風景などを撮影し、この撮像データを含む通信データを電子メールにより外部へ送信するものが普及している。また、セルフタイマーで任意の映像を撮ることのできる機能を備えている携帯電話機もある。
【０００３】
従来、携帯電話機を手で持って、自分の顔や風景などを撮影する際に、手ぶれによるピンぼけを防止することや、自分や自分を含む数名を撮影する際に携帯電話機を支持するための装置が開発されている。例えば、携帯電話機を載置するための載置台本体と蓋体とからなる携帯電話機用載置台があり、前記載置台本体の底面に設けられたネジ穴に三脚を取り付け、三脚の脚の長さや載置台本体の角度を調整し、蓋体が開かれた状態で携帯電話機を載置する（例えば、特許文献１参照）。
【特許文献１】特開２００２−３２００１８号公報
【発明の開示】
【発明が解決しようとする課題】
【０００４】
ところで、従来の携帯電話機用載置台は、載置台本体の上に携帯電話機を安定状態に載置するために、例えば折畳み式の携帯電話機の一方の筺体部の底面全体を受けるよう構成したり、前記筺体部の側面に対向する突堤部を設けたり、載置した携帯電話機を取り出し易くするために前記突堤部の高さを低くする切欠を形成したり、様々な工夫をしているので、複雑な形状を有し、また常時携帯するには大きすぎるという問題点があった。
【０００５】
また、単に携帯電話機を載置台本体の上に載置するだけなので、携帯電話機を立ち上げられる角度が不十分であり、電話機自体を立てた状態にするには安定しないという問題点があった。
【０００６】
この発明は上述の課題を解決するためになされたものである。
【課題を解決するための手段】
【０００７】
この発明の携帯電話機の支持装置は、携帯電話機に備えた電話機側係合部に対して着脱可能の支持部側係合部を備え、且つ上記の携帯電話機を支持する支持部を備えたことを特徴とするものである。
【０００８】
この発明の携帯電話機の支持装置は、前記携帯電話機の支持装置において、前記電話機側係合部が携帯電話機に備えられているコネクタで、支持部側係合部がコネクタ係合部であると共に携帯電話機を立てた状態で支持することが好ましい。
【０００９】
この発明の携帯電話機の支持装置は、携帯電話機のケーシング外形の一部を固定的に係合可能の係合部を備え、且つ上記の携帯電話機を縦向きに又は横向きに立てた状態に支持する支持部を備えたことを特徴とするものである。
【００１０】
この発明の携帯電話機の支持装置は、前記携帯電話機の支持装置において、前記支持部に、支持脚への取付部を備えていることが好ましい。
【発明の効果】
【００１１】
以上のごとき課題を解決するための手段から理解されるように、この発明によれば、携帯電話機は支持部に備えた支持部側係合部により電話機側係合部に着脱可能に装着されると、前記支持部によって携帯電話機を例えば立てた状態にしっかりと支持される。また、上記の支持装置は構造が簡単でコンパクトであるので携帯も容易である。さらに、上記の支持部が例えば三脚などの支持脚へ取付部を介して取り付けられることによって自分や自分を含む数名等を自動シャッタで撮影できる。また、撮影時の手ぶれによるピンぼけを確実に防止でき、優れた映像を撮影できる。
【００１２】
また、支持部側係合部がコネクタ係合部であることにより、携帯電話機に従来から備えられている電話機側係合部としてのコネクタに対して容易に且つ確実に着脱できる。
【００１３】
また、支持装置に、携帯電話機のケーシング外形の一部を固定的に係合可能の係合部を備えていることにより、携帯電話機のケーシングを縦向きに又は横向きに係合部の間に差し込むだけで容易に且つ確実に固定的に把持できる。好ましくは、係合部の内面に樹脂などの弾性部材を設けることが良い。
【発明を実施するための最良の形態】
【００１４】
以下、この発明の実施の形態について図面を参照して説明する。
【００１５】
図１乃至は図３を参照するに、この実施の形態に係る携帯電話機１は例えば折畳み式のものであり、操作部側本体３と表示部側本体５は軸受部７により互いに回動自在に枢着するように構成されている。前記操作部側本体３には内表面中央部にキーボード９、図１において下方側の内表面端部に送話器１１、図１において下方側端部に充電する電力を供給する端子やデータ通信用の接続端子などの複合端子を備えたコネクタ１３（以下、「電話機コネクタ」という）が設けられている。
【００１６】
前記表示部側本体５には図１において上方側の内表面端部に受話器１５及び撮像手段としての例えばＣＣＤカメラ１７、内表面中央部に液晶表示器１９、外表面にハンズフリー用のスピーカ（図示省略）などが設けられている。
【００１７】
また、ＣＣＤカメラ１７で撮影した画像やムービーなどの映像信号は、電話機コネクタ１３に接続されるコネクタ（図示省略）を介してパソコンなどに伝送され、あるいは、操作部側本体３に伸縮自在に設けられたアンテナ２１を介して電子メールなどで外部に伝送できるように構成されている。
【００１８】
なお、上記のＣＣＤカメラ１７は、前述した実施の形態では表示部側本体５の内表面に設けられているが、操作部側本体３と表示部側本体５の軸受部７にＣＣＤカメラ１７を備えた筒状体を回動自在に取り付けられているもの、あるいは、操作部側本体３や表示部側本体５の外表面に設けられているもの、あるいは操作部側本体３や表示部側本体５の内外表面の両方に設けられているものなど、様々である。
【００１９】
なお、携帯電話機１としては、上記のような折畳み式でなくとも、他の形態の携帯電話機であっても構わない。
【００２０】
この発明の実施の形態の携帯電話機１の支持装置２３としては、携帯電話機１を立てた状態に支持する支持部２５が設けられており、この支持部２５には携帯電話機１を着脱可能な支持部側係合部としての例えばコネクタ係合部２７が携帯電話機１に従来から備えられている電話機側係合部としての例えば電話機コネクタ１３に対して着脱可能に備えられている。また、コネクタ係合部２７は電話機コネクタ１３に差し込むと自動的にロックされる構成であるが、これをアンロックするためのリリースボタン２９が支持部２５の図１において左右側面に設けられている。また、上記の支持部２５の底面には三脚取付用の取付部としての例えばネジ穴３１が設けられている。さらに、支持装置２３は、コンパクトであるので図２に示されているようにストラップ３３などの帯条体により携帯電話機１に結びつけて携帯することが容易である。
【００２１】
図４を参照するに、支持脚としての例えば三脚３５に設けた取付用ネジ３７が支持装置２３のネジ穴３１にねじ込み締め付けることにより、支持装置２３の支持部２５が三脚３５にしっかりと取り付けられる。なお、前記取付用ネジ３７は回動体３９に回転自在に取り付けられており、取付用ネジ３７の下端部は取付用ネジ３７を締め付けるためのつまみ部４１が設けられている。また、上記の回動体３９には、凹面球状の凹部４３が形成されており、その凹部４３には基台４５に設けた球状体４７が挿入されている。したがって、上記の回動体３９は球状体４７によって回動自在に支持されている。さらに、回動体３９には締め付け用のレバー４９が設けられており、このレバー４９を締め付ければ、上記の回動体３９を任意の位置で固定できるように構成されている。また、基台４５には３つの脚５１が取り付けられ、各脚５１はそれぞれ伸縮自在に構成されている。
【００２２】
上記構成により、携帯電話機１が電話機コネクタ１３を介して支持部２５のコネクタ係合部２７にしっかりと容易に固定されるので、支持部２５を三脚３５に取り付けることによって自分や自分を含む数名等を自動シャッタで撮影することができる。また、撮影時の手ぶれによるピンぼけを確実に防止でき、優れた映像を撮影し、伝送することができる。さらに、高い人垣ごしに対象物を撮影したいときは、携帯電話機１を三脚ネジ付きの長い柄の先に固定することにより、人垣ごしにかざして容易に撮影することができる。
【００２３】
また、支持装置２３は、図２に示されているように例えばストラップ３３などの帯条体を介して携帯電話機１に結びつけて携帯することにより、いつでも利用可能となる。また、上記の支持装置２３は支持部２５にキャラクタなどを応用してマスコット的な製品として販売することも有効な利用方法である。
【００２４】
なお、電話機側係合部としては、前述した実施の形態では電話機コネクタ１３を利用したが、前記電話機コネクタ１３に限定されず、他の形態の電話機側係合部を予め上記の携帯電話機１に取り付けておき、この電話機側係合部に着脱可能の支持部側係合部を上記の支持部２５に設けても構わない。前記電話機側係合部としては、例えば携帯電話機１の操作部側本体３の一端側の外表面に設けておくことができる。
【００２５】
次に、この発明の他の実施の形態の携帯電話機１の支持装置５３について図面を参照して説明する。
【００２６】
図５を参照するに、支持装置５３は、図１と同様の携帯電話機１を着脱可能な電話機係合部としての例えば係合凹部５５を備えた係合部材５７が設けられており、この係合部材５７の前記係合凹部５５により携帯電話機１の操作部側本体３の端部を固定的に係合可能である。さらに、携帯電話機１を立てた状態に支持する支持部５９が設けられており、この支持部５９にボールヒンジ部６１を介して前記係合部材５７が回動自在に設けられている。また、上記の支持部５９の底面には前述した実施の形態と同様に三脚取付用の取付部としての例えばネジ穴３１が設けられている。
【００２７】
なお、電話機係合部の係合凹部５５の内面には、携帯電話機１の端部を傷付けることなく押圧して把持するための弾性部材６３が貼着されていることが好ましい。弾性部材６３としては、例えばゴムやウレタン樹脂などのように弾性を有する樹脂が用いられる。これにより、携帯電話機１はその操作部側本体３の端部を係合凹部５５の内面の弾性部材６３の間に差し込むだけで容易に且つ確実に固定的に把持された状態になる。また、携帯電話機１は係合凹部５５から抜脱することも容易である。
【００２８】
なお、支持装置５３は、前述した実施の形態の支持装置２３とほぼ同様に、三脚３５に取り付けることが容易であり、全体的な作用、効果は支持装置２３とほぼ同様であるので、詳細な説明は省略する。なお、係合部材５７が支持部５９にボールヒンジ部６１を介して回動自在であるので、携帯電話機１の角度調整はより一層容易となる。
【００２９】
また、図６に示されているように、携帯電話機１を折り畳んだ状態にすると共に横向きに立てた状態で支持部２３で携帯電話機１を支持し、さらに三脚３５で支持した状態で使用することも可能である。さらに、図７に示されているように、携帯電話機１をほぼ９０°に開いた状態にして支持部２３で携帯電話機１を支持し、さらに三脚３５で支持した状態で使用することも可能である。
【００３０】
なお、この発明は前述した実施の形態に限定されることなく、適宜な変更を行うことによりその他の態様で実施し得るものである。
【図面の簡単な説明】
【００３１】
【図１】この発明の実施の形態の携帯電話機及び支持装置の斜視図である。
【図２】図１の正面図である。
【図３】図２の側面図である。
【図４】図１の携帯電話機を支持装置を介して三脚へ取り付けた状態説明図である。
【図５】この発明の他の実施の形態の支持装置の側面図である。
【図６】この発明の別の実施の形態の支持装置の斜視図である。
【図７】この発明のさらに別の実施の形態の支持装置の斜視図である。
【符号の説明】
【００３２】
１  携帯電話機
３  操作部側本体（ケーシング）
５  表示部側本体（ケーシング）
１１  送話器
１３  電話機コネクタ（電話機側係合部）
１５  受話器
１７  ＣＣＤカメラ（撮像手段）
１９  液晶表示器
２３  支持装置
２５  支持部
２７  コネクタ係合部（支持部側係合部）
３１  ネジ穴（取付部）
３３  ストラップ（帯条体）
３５  三脚（支持脚）
３７  取付用ネジ
５１  脚
５３  支持装置
５５  係合凹部
５７  係合部材
５９  支持部
６１  ボールヒンジ部
６３  弾性部材
【図１】
2005073058.tif 000003
【図２】
2005073058.tif 000004
【図３】
2005073058.tif 000005
【図４】
2005073058.tif 000006
【図５】
2005073058.tif 000007
【図６】
2005073058.tif 000008
【図７】
2005073058.tif 000009